(57)【要約】【課題】  分岐の増設や位置変更に対して柔軟に対応することが可能であるとともに、現場においての煩雑な分岐作業を必要としない結束チューブ及びブランチケーブルを提供する。【解決手段】  ブランチケーブル１を構成する結束チューブ３は、展開形状が略Ｖ字形状となる帯板４を複数、横一列に連続させて連続体５を形成した後、その連続体５を、帯板４の連続方向に沿って中心軸が形成されるように筒状に丸めることにより形成されている。このような結束チューブ３は、Ｓ撚りのような形状とＺ撚りのような形状とを交互に連続させた形状に形成されている。すなわち、結束チューブ３は、その形状がＳＺを形成している。【選択図】    図１
2005053530.tif 000002
【特許請求の範囲】
【請求項１】
展開形状が略Ｖ字形状の帯板の連続体となるものであり、前記帯板の連続方向に沿って中心軸が形成されるように前記連続体を柔軟な弾性を有する筒状にしてなる
ことを特徴とする結束チューブ。
【請求項２】
請求項１に記載の結束チューブにおいて、
筒状にした際に前記帯板に生じるスリット部の間隔を、結束するケーブルの径よりも大きく設定してなる
ことを特徴とする結束チューブ。
【請求項３】
請求項１又は請求項２に記載の結束チューブにおいて、
前記帯板に前記中心軸方向の段を形成してなる
ことを特徴とする結束チューブ。
【請求項４】
請求項１ないし請求項３いずれか記載の結束チューブにおいて、
導電性樹脂組成物を用いての成形によりなる
ことを特徴とする結束チューブ。
【請求項５】
支持線と、該支持線の周囲に設けられる情報用ケーブルと、これらを結束するための請求項１ないし請求項４いずれか記載の結束チューブとを備えてなる
ことを特徴とするブランチケーブル。
【発明の詳細な説明】
【技術分野】
【０００１】
本発明は、ケーブルを結束するための結束チューブと、その結束チューブを用いてなるブランチケーブルとに関する。
【背景技術】
【０００２】
マンションやビルディング、集合住宅、工場等における情報供給のための屋内配線として用いられるケーブルには、支持線の周囲に複数本のＬＡＮ用ケーブルや電話用ケーブルなどの通信ケーブルを巻き付けた構成のブランチケーブル（又は分岐型ケーブル）が知られている（例えば特許文献１参照）。
【０００３】
図４には従来例のブランチケーブルの断面図が示されている。ブランチケーブル１３０は、複数本の鋼線を撚り合わせてなる支持線１３１の周囲に、ＬＡＮ用または電話用の通信ケーブル１３２が複数本巻き付けられて撚り合わせられている。このようなブランチケーブル１３０は、例えば図５に示されるように配線されている。
【０００４】
図５において、ブランチケーブル１３０は、マンション等の建物の屋内においてＬＡＮ配線や電話配線をする際に、マンション等の最下階から最上階までブランチケーブル１３０の支持線１３１を通して、天井に取り付けられたフック１３３で支持線１３１を支持し、その支持線１３１の周囲に巻き付けられた通信ケーブル１３２を、所定の配線箇所近傍でブランチケーブル１３０の本体から引出して分岐させ、分岐した通信ケーブル１３２をそれぞれの機器１３４に配線するようになっている。
【０００５】
ところで、ブランチケーブル１３０に限らず各種のケーブルは、一般的に適宜結束方法を用いて結束されている。そのケーブルの結束方法としては、外部シースを被せることや、ポリ塩化ビニル製の結束用テープを巻き付けることや、下記特許文献２のスパイラル形状の線材結束部材を巻き付けてその線材結束部材を熱収縮させることなどの幾つかの結束方法が知られている。
【特許文献１】特開平１１−２２５４２０号公報
【特許文献２】特開平１０−２３０３３５号公報
【発明の開示】
【発明が解決しようとする課題】
【０００６】
上記従来のケーブル結束方法にあっては、結束状態からのケーブルの取り出しが容易に行えないことから、分岐の増設や位置変更に対して柔軟に対応することができず、その結果、現場においては煩雑な分岐作業が強いられてしまうという問題点を有している。
【０００７】
本発明は、上述した事情に鑑みてなされるもので、分岐の増設や位置変更に対して柔軟に対応することが可能であるとともに、現場においての煩雑な分岐作業を必要としない結束チューブを提供することを課題とする。また、その結束チューブを用いたブランチケーブルを提供することを課題とする。
【課題を解決するための手段】
【０００８】
上記課題を解決するためなされた請求項１記載の本発明の結束チューブは、展開形状が略Ｖ字形状の帯板の連続体となるものであり、前記帯板の連続方向に沿って中心軸が形成されるように前記連続体を柔軟な弾性を有する筒状にしてなることを特徴としている。このような特徴を有する本発明によれば、結束チューブの形状がＳＺを形成する。具体的には、略Ｖ字形状の帯板の連続体が筒状になることにより、Ｓ撚りのような形状とＺ撚りのような形状とが交互に連続する形状のものが形成される。ケーブル結束時又はケーブル分岐時に、結束チューブを展開形状方向へ開くようにすれば、ケーブルの結束又は取り出しが容易に行われる。
【０００９】
請求項２記載の本発明の結束チューブは、請求項１に記載の結束チューブにおいて、筒状にした際に前記帯板に生じるスリット部の間隔を、結束するケーブルの径よりも大きく設定してなることを特徴としている。このような特徴を有する本発明によれば、分岐されるケーブルがスリット部を介して取り出される。
【００１０】
請求項３記載の本発明の結束チューブは、請求項１又は請求項２に記載の結束チューブにおいて、前記帯板に前記中心軸方向の段を形成してなることを特徴としている。このような特徴を有する本発明によれば、中心軸方向のケーブルに対する接触面積が増大し、ケーブルがより一層強力に結束される。
【００１１】
請求項４記載の本発明の結束チューブは、請求項１ないし請求項３いずれか記載の結束チューブにおいて、導電性樹脂組成物を用いての成形によりなることを特徴としている。このような特徴を有する本発明によれば、結束チューブ自体がケーブルに対するシールド部材として機能する。
【００１２】
上記課題を解決するためなされた請求項５記載の本発明のブランチケーブルは、支持線と、該支持線の周囲に設けられる情報用ケーブルと、これらを結束するための請求項１ないし請求項４いずれか記載の結束チューブとを備えてなることを特徴としている。このような特徴を有する本発明によれば、支持線及び情報用ケーブルが結束チューブにより結束されたブランチケーブルが提供される。
【発明の効果】
【００１３】
請求項１に記載された本発明によれば、分岐の増設や位置変更に対して柔軟に対応することができるという効果を奏する。また、現場においての作業を容易にすることができるという効果を奏する。
【００１４】
請求項２に記載された本発明によれば、結束チューブで結束された状態からケーブルを容易に取り出すことができるという効果を奏する。
【００１５】
請求項３に記載された本発明によれば、結束チューブに強力な結束力を持たせることができるという効果を奏する。
【００１６】
請求項４に記載された本発明によれば、結束チューブにシールド効果を持たせることができるという効果を奏する。
【００１７】
請求項５に記載された本発明によれば、分岐の増設や位置変更に対して柔軟に対応することが可能であるとともに、現場においての煩雑な分岐作業を必要としないブランチケーブルを提供することができるという効果を奏する。
【発明を実施するための最良の形態】
【００１８】
以下、図面を参照しながら説明する。
図１は本発明の結束チューブ及びブランチケーブルの一実施の形態を示す構成説明図である。また、図２は結束チューブの説明図、図３は結束チューブの展開図である。
【００１９】
図１において、引用符号１はビル・集合住宅・工場・トンネル等の低圧配線に用いられる本発明のブランチケーブルを示している。そのブランチケーブル１は、図示しない支持線と、その支持線の周囲に設けられる複数のＬＡＮ用ケーブル２や図示しない電話用ケーブルと、本発明の結束チューブ３とを備えて構成されている。以下、各構成部材について詳細に説明する。
【００２０】
図示しない支持線は、例えばφ１．４ｍｍの亜鉛メッキ鋼線７本を撚り合わせ、その外周に被覆を施したものであって、配線に必要な長さ且つ自重に耐え得る太さに形成されている。ＬＡＮ用ケーブル２及び図示しない電話用ケーブルは、既知の情報用ケーブルであって、各々必要な長さを有して図示しない支持線に対し平行に配索されている。これらは、結束チューブ３により結束されている。
【００２１】
図１ないし図３において、結束チューブ３は、樹脂又は導電性樹脂組成物を用いての成形によりなるものであって、柔軟な弾性を有する筒状に形成されている。もう少し詳しく説明すると、結束チューブ３は、展開形状が略Ｖ字形状となる帯板４を複数、横一列に連続させて連続体５を形成した後、その連続体５を、帯板４の連続方向に沿って中心軸が形成されるように筒状に丸めることにより形成されている。このような結束チューブ３は、Ｓ撚りのような形状とＺ撚りのような形状とを交互に連続させた形状に形成されている。すなわち、結束チューブ３は、その形状がＳＺを形成している。結束チューブ３は、結束の他に、内線を保護する機能も有している（外部シースを被せる必要性がなくなる）。
【００２２】
尚、図２の黒塗りの部分６は、結束チューブ３の形状を分かり易くするために、図３で見えない部分（裏面）を黒く塗りつぶして示している。
【００２３】
帯板４は、適宜板幅及び厚みを有しており、その中間には、上記中心軸方向にのびるような段７、７が形成されている。段７、７は、ＬＡＮ用ケーブル２等に対する中心軸方向の接触面積を増大させるために形成されており、結束チューブ３に強力な結束力を持たせるようになっている。また、段７、７は、帯板４のＶ字開口部分の間隔を広げるために形成されている。
【００２４】
結束チューブ３には、各帯板４の部分にスリット部８、９が形成されている。スリット部８、９は、ケーブル取り出しを容易にするために、ＬＡＮ用ケーブル２等の径よりもその間隔Ｌ１、Ｌ２が大きくなるように形成されている。
【００２５】
結束チューブ３の成形に用いられる樹脂材料としては、例えばポリプロピレン、ポリエチレン、ポリスチレン、アクリロニトリル・ブタジェン・スチレン樹脂、変性ポリフェニレンオキサイド樹脂、ポリブチレンテレフタレート樹脂、ポリエチレンテレフタレート樹脂、ポリアミド樹脂、芳香族ポリアミド樹脂、ポリフェニレンサルファイド樹脂、液晶ポリマー、ポリエーテルイミド、ポリベンゾイミダゾール、ポリエーテルエーテルケトン、ポリエーテルサルフォン等の樹脂を単独或いはブレンドして用いることが可能であり、特に、アクリロニトリル・ブタジェン・スチレン樹脂、ポリブチレンテレフタレート樹脂が好適であるものとする。
【００２６】
また、結束チューブ３の成形に用いられる導電性樹脂組成物としては、熱可塑性樹脂中で、銅、ニッケル、鉄等からなる金属繊維を混入させたものと、鉛フリーハンダ（低融点半田）とＣｕ粉等の低融点合金を分散させた導電性樹脂組成物からなる高導電性樹脂が好適であるものとする。導電性樹脂組成物を用いた場合には、結束チューブ３にシールド効果を持たせることができるという利点がある。
【００２７】
上記構成において、結束チューブ３を展開形状方向へ開き、複数のＬＡＮ用ケーブル２や図示しない電話用ケーブルの周囲に巻き付けるような状態で取り付けると、結束チューブ３による結束が完了してブランチケーブル１が形成される。一方、結束チューブ３を所望の位置で展開形状方向へ開くようにすれば、その所望の位置でのケーブル取り出しが完了する。ケーブルの結束又は取り出しは、結束チューブ３によって容易に行われる。
【００２８】
以上、ブランチケーブル１や結束チューブ３は、分岐の増設や位置変更に対して柔軟に対応することができる。従って、現場においての作業を容易にすることができる。
【００２９】
その他、本発明は本発明の主旨を変えない範囲で種々変更実施可能なことは勿論である。尚、結束チューブ３は、ブランチケーブル１に限らず各種のケーブルの結束に用いることができるものとする。
【図面の簡単な説明】
【００３０】
【図１】本発明による結束チューブ及びブランチケーブルの一実施の形態を示す構成説明図である。
【図２】結束チューブの説明図である。
【図３】結束チューブの展開図である。
【図４】従来例のブランチケーブルの端面図である。
【図５】従来例のブランチケーブルの使用方法を示す概念図である。
【符号の説明】
【００３１】
１  ブランチケーブル
２  ＬＡＮ用ケーブル（情報用ケーブル）
３  結束チューブ
４  帯板
５  連続体
７  段
８、９  スリット部
【図１】
2005053530.tif 000003
【図２】
2005053530.tif 000004
【図３】
2005053530.tif 000005
【図４】
2005053530.tif 000006
【図５】
2005053530.tif 000007